(57)【特許請求の範囲】
【請求項１】
周辺装置を着脱する周辺装置収納部を有する携帯用コンピュータにおいて、
前記周辺装置収納部の側壁に、周辺装置の着脱方向に対し直交方向へロック突起を延設するとともに係止溝を凹設してあり、
前記周辺装置収納部に蓋をする収納部カバーが、当該携帯用コンピュータの本体ケース形状にあわせた縦及び横の壁部を有するＬ字状とされ、その一方の前記壁部の内側に、前記ロック突起を収容するロック溝を有して前記ロック突起と係合するリブが設けられ、且つ他方の前記壁部の内側に、前記係止溝と弾性的に係止するフックが突設されており、
前記収納部カバーは、周辺装置の着脱方向と直交する方向へスライドさせることで、前記ロック溝に前記ロック突起が収容されて前記リブと前記ロック突起とが係合するとともに前記フックが前記係止溝に係止し、前記リブと前記ロック突起との係合で周辺装置の着脱方向の動きに抵抗し且つ前記フックと前記係止溝との係止で前記周辺装置収納部に固定され、前記周辺装置収納部に装着された周辺装置の着脱方向への動きによる脱落を防止するようになっていることを特徴とする周辺装置収納部を有する携帯用コンピュータ。
【請求項２】
ロック突起が先に行くほど幅の広がる拡開形状とされ、該形状にあうロック溝を収納部カバーのリブに形成して係合させる請求項１記載の周辺装置収納部を有する携帯用コンピュータ。
【請求項３】
収納部カバーにおけるリブを設けた壁部の外側面に滑り止め凸部を設けてある請求項１又は請求項２記載の周辺装置収納部を有する携帯用コンピュータ。
【発明の詳細な説明】
【０００１】
【発明の属する技術分野】
本発明は携帯用コンピュータに係り、特に、その本体ケースに設けられる周辺装置収納部のカバーに関する。
【０００２】
【発明が解決しようとする課題】
携帯用コンピュータには各種周辺装置の増設用に周辺装置収納部が設けられるが、その収納部に装着した周辺装置の脱落を防止するために、本体ケースの底面や側面に突片やネジ止めなどの別途の安全機構を設けているものがある。この場合、安全機構のための追加スペースが必要であるし、製品規格に合わない周辺装置では安全機構が効かなくなるために、収納部カバーを押し開けて周辺装置が外れてしまう可能性がある。
【０００３】
【課題を解決するための手段】
このような課題を解決するために本発明では、周辺装置収納部のカバーに脱落防止機能をもたせ、従来の安全機構の代わりとするものである。すなわち、本発明の収納部カバーは、周辺装置収納部に入れられた周辺装置の着脱方向の動きに抵抗するロック手段と、前記着脱方向と異なる方向へ当該カバーを動かすことで係止解除して当該カバーを取り外し可能とする支持手段と、を備えることを特徴とする。
【０００４】
ロック手段は、周辺装置の着脱方向に対し直交方向で周辺装置収納部の側壁に延設したロック突起と係合するように形成したリブから構成することができる。そのロック突起は、先に行くほど幅の広がる拡開形状とし、該形状にあうロック溝をリブに形成して係合させるようにするとよい。また、支持手段は、カバー内側に突設され、周辺装置収納部の側壁に形成した係止溝へ弾性的に係止するフックから構成することができる。
【０００５】
このような収納部カバーは、携帯用コンピュータの本体ケース形状にあわせた縦壁部及び横壁部を有するＬ字状とし、一方の前記壁部にロック手段を設け且つ他方の前記壁部に支持手段を設けるようにするとよい。
【０００６】
【発明の実施の形態】
以下、本発明の実施形態を添付図面に基づいて詳細に説明する。
【０００７】
図１は、本発明に係る収納部カバー２を備えた携帯用コンピュータ１の斜視図であり、図２は、本体ケースに設けられた周辺装置収納部１１の側壁面Ａ部分の拡大図、図３は、同じＡ部分の上方からみた断面の拡大図である。そして、図４〜図７は、収納部カバー２の各側面図である。
【０００８】
周辺装置の着脱方向への動きによる脱落を防止する収納部カバー２のロック手段は、周辺装置収納部１１の側壁に、周辺装置着脱方向に対し直交する方向（正確に９０度である必要はなく、着脱に抵抗する角度であればよい）で延設されたロック突起１２と、このロック突起１２に係合する収納部カバー２のリブ２３と、からなる。ロック突起１２は、収納部カバー２との係合が容易であるように先へ行くほど幅が広がる拡開形状を有する。リブ２３はこれにあわせて形成されるので、ロック突起１２が入り込むロック溝２６も同じく拡開形状を有する。
【０００９】
収納部カバー２自体は、コンピュータ１の本体ケース横側面と面一の縦壁部２１と、本体ケース底面と面一の横壁部２２とを有するＬ字状とされ、その縦壁部２１の内側にリブ２３が設けられてロック溝２６が形成される。横壁部２２には、その両端部分内側にフック２４が突設されており、このフック２４が周辺装置収納部１１の側壁に形成した係止溝１３へ弾性的に係止することで、本体ケースに収納部カバー２を固定して周辺装置収納部１１に蓋をする支持手段が構成される。このフック２４及び係止溝１３からなる支持手段は、周辺装置の着脱方向とは異なる方向、本例では周辺装置着脱方向が横なのでこれに直交する縦方向へ収納部カバー２をスライドさせることで係止／係止解除するようになっている。
【００１０】
なお本例では、収納部カバー２を開けやすいように滑りを防止する滑り止め凸部２５が縦壁部２１の外側に形成されている。
【００１１】
このような収納部カバー２を備えた携帯用コンピュータ１では、まず、横方向へ周辺装置を入れた周辺装置収納部１１に対し、収納部カバー２のロック手段をなすリブ２３のロック溝２６とロック突起１２をはめながら、支持手段をなすフック２４と係止溝１３が係り合うまで、周辺装置着脱方向と直交する縦方向へ収納部カバー２を差し入れる。そして、フック２４が弾性により係止溝１３へ係止すると、収納部カバー２が周辺装置収納部１１に固定され蓋をする。
【００１２】
収納部カバー２が固定されると、ロック突起１２及びリブ２３からなるロック手段が周辺装置の着脱方向への動きに対抗するとともに、フック２４及び係止溝１３からなる支持手段は周辺装置着脱方向と異なる装着方向にしてあるので周辺装置が着脱方向へ動こうとしてもその力が支持手段の係止を解く方向へ働くことがない。したがって、本例の収納部カバー２は周辺装置の脱落を防ぐ安全機構として十分に機能する。
【００１３】
収納部カバー２を外す場合には、滑り止め凸部２５に力を加えて収納部カバー２を本例では下げるようにすると、支持手段のフック２４が抗しきれずに弾性で係止溝１３からはずれ、ロック突起１２に沿って収納部カバー２をスライドさせて取り外すことができる。
【００１４】
【発明の効果】
ロック手段及び支持手段を設けた本発明の収納部カバーは、周辺装置の脱落を防止する安全機構として十分な機能をもつので、従来のように別途の安全機構は必要なく、コスト的に有利であるし、周辺装置着脱時の作業性もよくなるという利点をもつ。
【図面の簡単な説明】
【図１】本発明の実施形態を示した携帯用コンピュータの斜視図。
【図２】図１のＡ部分の拡大図。
【図３】図１のＡ部分の断面拡大図。
【図４】本発明に係る収納部カバーの側面図。
【図５】図４の横からみた収納部カバーの側面図。
【図６】図４の上からみた収納部カバーの側面図。
【図７】図４の下からみた収納部カバーの側面図。
【符号の説明】
１  携帯用コンピュータ
２  収納部カバー
１１  周辺装置収納部
１２  ロック突起（ロック手段）
１３  係止溝（支持手段）
２３  リブ（ロック手段）
２４  フック（支持手段）
２５  滑り止め凸部
２６  ロック溝（ロック手段）
【図１】
0003545175.tif 000002
【図２】
0003545175.tif 000003
【図３】
0003545175.tif 000004
【図４】
0003545175.tif 000005
【図５】
0003545175.tif 000006
【図６】
0003545175.tif 000007
【図７】
0003545175.tif 000008